Podtech/llm-jp-corpus-v4-ja_patent huggingface dataset:
【手続補正書】
【提出日】平成16年12月1日(2004.12.1)
【手続補正１】
【補正対象書類名】特許請求の範囲
【補正対象項目名】請求項１
【補正方法】変更
【補正の内容】
【請求項１】
移動床吸着分離方法において、
ａ）第１、第２及び第３の化合物で構成される供給原料ストリームを、第１の化合物が第２の化合物と比較して多量の選択的吸着剤上に選択的に保持される吸着促進条件に維持された選択的吸着剤の１つの床で構成される吸着ゾーンへ送り込むステップにおいて、第３の化合物は第１及び第２の化合物と十分に異なる沸点を有していて分留によってそれが容易に分離可能であり、第３の化合物は前記第１の化合物よりもより少ない程度に吸着剤上で吸着されて、その結果多量の選択的吸着剤中に予め存在していた第２の化合物及び脱着剤で構成されるラフィネート・ストリームを形成する、供給原料ストリームを吸着ゾーンへ送り込むステップと；
ｂ）脱着剤化合物で構成される脱着剤ストリームを、脱着剤化合物、第１の化合物及び第３の化合物で構成される抽出物ストリームを生成するための脱着促進条件下で、第１の化合物を保持している前記多量の選択的吸着剤と接触させて通らせるステップと；
ｃ）抽出物ストリームを、分留条件で操作されて、少なくとも第１及び第２の並列分留ゾーンに隔壁によって分割される隔壁分留カラムへ送り込むステップにおいて、第１及び第２の分留ゾーンがそれぞれ分留カラム内に位置する上端部及び下端部を有し、第１及び第２の分留ゾーンがそれらの上端部で分留カラムの非分割上部と開放連通し、それらの下端部で分留カラムの非分割下部と開放連通し、そして、抽出物ストリームが第１の分留ゾーンの中間点でカラムに流入する、抽出物ストリームを隔壁分留カラムへ送り込むステップと；
ｄ）第１の化合物で構成される抽出生成物ストリームを第２の分留ゾーンの中間点から除去するステップと；
ｅ）第３の化合物で構成される生成物ストリームを分留カラムの第１の端部から回収するステップと；そして、
ｆ）脱着剤化合物で構成される処理ストリームを分留カラムの第２の端部から除去するステップとで構成されることを特徴とする擬似移動床吸着分離方法。
【手続補正２】
【補正対象書類名】特許請求の範囲
【補正対象項目名】請求項９
【補正方法】変更
【補正の内容】
【請求項９】
請求項１の方法において、吸着分離方法がキシレン異性体を分離する擬似移動床吸着分離方法であり、供給原料ストリームがパラキシレン、メタキシレン及びトルエンで構成され、パラキシレンが選択的吸着剤上に選択的に保持されて、トルエンはパラキシレンよりも少ない程度に吸着剤上で吸着され、ラフィネート・ストリームがメタキシレン及び脱着剤化合物で構成され；抽出物ストリームが脱着剤化合物、パラキシレン及びトルエンで構成され、抽出生成物ストリームがパラキシレンを多量に含み、オーバーヘッド蒸気ストリームが分留カラムの第１の上端部からのトルエンで構成されて、トルエンで構成される抽出生成物ストリームを提供し、そして、脱着剤で構成される底留分ストリームが分留カラムの第２の下端部から除去されて、脱着剤化合物で構成される処理ストリームを提供することを特徴とする請求項１の方法。
【手続補正書】
【提出日】平成17年5月9日(2005.5.9)
【手続補正１】
【補正対象書類名】特許請求の範囲
【補正対象項目名】全文
【補正方法】変更
【補正の内容】
【特許請求の範囲】
【請求項１】
２０μｍ未満の平均有効径と１．５：１〜２０：１の横のアスペクト比と０．０５μｍ2〜３．０μｍ2の横断面積を有する脂肪族ポリエステル微細繊維。
【請求項２】
単位ミクロフィブリルの束を含む請求項１に記載の微細繊維。
【請求項３】
前記脂肪族ポリエステルがポリ（ヒドロキシアルカン酸）のホモ−およびコポリマーを含む請求項１に記載の微細繊維。
【請求項４】
前記脂肪族ポリエステルが１種以上のアルカンジールと１種以上のアルカンジカルボン酸との反応生成物から誘導される請求項１に記載の微細繊維。
【請求項５】
前記ポリ（ヒドロキシアルカン酸）が、ポリラクチド、ポリジオキサノン、ポリカプロラクトン、ポリ（３−ヒドロキシ酪酸塩）、ポリ（３−ヒドロキシ吉草酸）、ポリグリコリドおよびポリ（オキシエチレングリコラート）からなる群から選択される請求項３に記載の微細繊維。
【請求項６】
前記微細繊維が生体吸収性および／または生分解性である、請求項１に記載の微細繊維。
【請求項７】
ミクロフィブリル化物品を調製する方法であって、
（ａ）脂肪族ポリエステルフィルムを提供する工程と、
（ｂ）前記フィルムを延伸してそれにミクロボイド化およびミクロフィブリルのモルフォロジを与える工程と、
（ｃ）それに十分な流体エネルギーを与えることによって前記フィルムをミクロフィブリル化する工程と
を含む方法。
【請求項８】
ミクロフィブリル化の前記工程が１つ以上の高圧流体ジェットに前記フィルムを接触させることを含む請求項７に記載の方法。
【請求項９】
前記脂肪族ポリエステルフィルムが、少なくとも１種の脂肪族ポリエステルと少なくとも１種の他の半結晶質ポリマーとの共連続ブレンドを含む請求項７に記載の方法。
【請求項１０】
前記フィルムが、前記脂肪族ポリエステルおよび前記他の半結晶質ポリマーの微細繊維を含む複合ミクロフィブリル化物品を作り出す請求項９に記載の方法。
【請求項１１】
前記ミクロフィブリル化物品が、少なくとも１つのミクロフィブリル化表面を有するフィルムを含む、請求項１に記載の微細繊維を含むミクロフィブリル化物品。
【請求項１２】
前記ミクロフィブリル化物品が、フィルムの厚さのすみずみまでミクロフィブリル化モルフォロジを有するフィルムを含む、請求項１１に記載のミクロフィブリル化物品。
【請求項１３】
１０μｍ以上のミクロフィブリル化の深さを有する請求項１１に記載のミクロフィブリル化物品。
【手続補正書】
【提出日】平成17年3月23日(2005.3.23)
【手続補正１】
【補正対象書類名】特許請求の範囲
【補正対象項目名】全文
【補正方法】変更
【補正の内容】
【特許請求の範囲】
【請求項１】
相対する表面をもつ軽量の不織布であって、前記表面の一方は高濃度の帯電防止剤を含み、前記表面の他方は最小量の帯電防止剤を含み、前記布はまた、撥アルコール性であることを特徴とする不織布。
【請求項２】
相対する第１表面と第２表面を有する軽量の不織布の製造方法であって、前記表面の一方は高濃度の帯電防止剤を含み、前記表面の他方は最小量の帯電防止剤を含み、前記不織布は、約７０％のイソプロピルアルコールに対して少なくとも３以上と評価される撥アルコール性及び約０．５０秒未満の静電減衰試験結果によって判断される良好なバリア特性を有し、前記方法は、
前記第１表面に又は前記表面の両方に帯電防止剤を含む撥アルコール性処理剤を適用して、アルコール処理の付加レベルを約０．０５ｇｓｍ〜約０．４１ｇｓｍとする工程、及び、別の工程において、前記不織布の第２表面のみに帯電防止剤を含む帯電防止処理剤を適用して、帯電防止処理の付加レベルを約０．０１７ｇｓｍ〜約１．０８ｇｓｍとする工程、
を含むことを特徴とする、前記方法。
【請求項３】
前記帯電防止処理剤を適用する工程は、前記撥アルコール性処理剤が十分に硬化する前に行われることを特徴とする請求項２に記載の工程。
【請求項４】
前記不織布は、約３４ｇｓｍから約８８ｇｓｍまでの範囲の坪量を有することを特徴とする請求項２に記載の方法。
【請求項５】
前記不織布の相対する表面は、種々の濃度のイソプロピルアルコールに曝されたときに、呈する撥アルコール性に少なくとも約３０％の差があることを特徴とする請求項２に記載の方法。
【請求項６】
前記不織布の相対する表面は、種々の濃度のイソプロピルアルコールに曝されたときに、呈する撥アルコール性に少なくとも約３０％の差があることを特徴とする請求項３に記載の方法。
【請求項７】
前記不織布は、スパンボンド層とメルトブローン層を備えることを特徴とする請求項２に記載の方法。
【請求項８】
前記不織布は、２つのスパンボンド層の間にメルトブローン層を備えることを特徴とする請求項７に記載の方法。
【請求項９】
前記不織布は、スパンボンド層とメルトブローン層を備えることを特徴とする請求項３に記載の方法。
【請求項１０】
前記不織布は、少なくとも約５０ｍＢの静水頭圧を有することを特徴とする請求項２に記載の方法。
【請求項１１】
前記不織布は、少なくとも約５０ｍＢの静水頭圧を有することを特徴とする請求項３に記載の方法。
【請求項１２】
前記不織布は、少なくとも約５０ｍＢの静水頭圧を有することを特徴とする請求項９に記載の方法。
【手続補正書】
【提出日】平成16年8月9日(2004.8.9)
【手続補正１】
【補正対象書類名】特許請求の範囲
【補正対象項目名】全文
【補正方法】変更
【補正の内容】
【特許請求の範囲】
【請求項１】
化学蒸着法において、
基板面を画定する基板保持器（４６、４８）を含む反応器室（９５０）を提供する段階と、
前駆物質の気体を、前記反応器室を通して、気体入口（９４２）から排気口（９３０）の方向（Ｒ）へ、前記基板面に実質的に垂直な軸（１５０８）回りの円形運動として、且つ前記前駆物質の気体が前記方向に移動する際に前記前駆物質の気体が使用できる単位距離当たりの反応器容積を減少させながら、移動させる段階と、
前記蒸気を反応させて、前記基板の表面上に固体薄膜を蒸着させる段階と、から成る方法。
【請求項２】
前記移動させる段階は、螺旋状運動を提供する段階を含んでいる、請求項１に記載の方法。
【請求項３】
前記移動させる段階は、前記前駆物質の気体が前記反応器室に近づくにつれて、前記前駆物質の気体の速度を増大させる段階を含んでいる、請求項１に記載の方法。
【請求項４】
前記移動させる段階は、前記移動する前駆物質の気体の流れの特性を制御して、前記移動する前駆物質の気体内の試薬の減損を補償する段階を含んでいる、請求項１に記載の方法。
【請求項５】
化学蒸着（ＣＶＤ）反応器（９００）において、
反応器室（９５０）と、
前記反応器室内に配置され、基板面を画定する基板保持器（４６、４８）と、
気体入口（９４２）を含む気体導入システム（９２２）と、
気体排気口（９３０）と、を備えており、
前記反応器室は、単位距離当たりの反応器の容積が、前記気体入口から前記気体排気口への方向（Ｒ）に減少するように形成されている、化学蒸着反応器。
【請求項６】
前記反応器は頂部壁を含んでおり、前記室の中心からの距離が増加するにつれて、前記基板保持器上方の前記反応器室の頂部壁の高さが増加する、請求項５に記載のＣＶＤ反応器。
【手続補正書】
【提出日】平成16年8月12日(2004.8.12)
【手続補正１】
【補正対象書類名】特許請求の範囲
【補正対象項目名】全文
【補正方法】変更
【補正の内容】
【特許請求の範囲】
【請求項１】
エチレンジアミンをポリリン酸と反応させる、若しくはエチレンアミン又はエチレンアミン混合物をリン酸、ポリリン酸、ピロリン酸及びこれらの混合物からなる群より選択される酸と反応させる方法によって調製され；
難燃剤の水溶液が約２．０２から６．５の間のｐHを有するような、酸又は酸混合物のエチレンジアミン、エチレンアミン、又はエチレンアミン混合物に対する比率であることを特徴とする難燃剤組成物。
【請求項２】
方法が、さらにエチレンジアミン、エチレンアミン、又はエチレンアミン混合物を酸又は酸混合物と反応させる以前に、エチレンジアミン、エチレンアミン、又はエチレンアミン混合物をホルムアルデヒド及びメラミンと反応させる工程を含むことを特徴とする請求項１に記載の難燃剤組成物。
【請求項３】
水溶液状であることを特徴とする請求項１又は２に記載の難燃剤組成物。
【請求項４】
ａ）３０から９９．７５重量％のポリマー；及び
ｂ）０．２５から７０重量％の請求項１又は２に記載の難燃剤組成物
を含むことを特徴とする難燃剤組成物。
【手続補正書】
【提出日】平成16年7月29日(2004.7.29)
【手続補正１】
【補正対象書類名】明細書
【補正対象項目名】０００４
【補正方法】変更
【補正の内容】
【０００４】
【化１】
2005511844.tif 000001
【手続補正２】
【補正対象書類名】特許請求の範囲
【補正対象項目名】請求項１
【補正方法】変更
【補正の内容】
【請求項１】
１．０未満のハンターｂ色値を有するシクロオレフィン共重合体樹脂であって：
（ａ）約１００〜約２２０℃のガラス転移温度、およびデカリン中で１３５℃において測定して約５〜約１０００ｍＬ／ｇの固有粘度を有する第一シクロオレフィン共重合体、
（ｂ）上記樹脂の総重量に基づいて約１０重量％までの、約５０℃より高いガラス転移温度、およびデカリン中で１３５℃において測定して約１〜約５００ｍＬ／ｇの固有粘度を有する第二シクロオレフィン共重合体、および
（ｃ）上記樹脂の総重量に基づいて約０．０１〜約３％の、脂肪族多価アルコールの脂肪酸エステルより成る群から選ばれる少なくとも１種の潤滑剤
を含み、但し第二シクロオレフィン共重合体のガラス転移温度は第一シクロオレフィン共重合体のガラス転移温度よりも少なくとも２５℃低い、ステアリン酸亜鉛を実質的に含んでいない上記のシクロオレフィン共重合体樹脂。
【手続補正３】
【補正対象書類名】特許請求の範囲
【補正対象項目名】請求項９
【補正方法】変更
【補正の内容】
【請求項９】
０．８未満のハンターｂ色値を有するシクロオレフィン樹脂であって：
（ａ）約１２０〜約１６０℃のガラス転移温度、およびデカリン中で１３５℃において測定して約５〜約１０００ｍＬ／ｇの固有粘度を有する第一シクロオレフィン共重合体、
（ｂ）上記樹脂の総重量に基づいて約０．５〜約１０重量％の、約５５〜約８５℃のガラス転移温度、およびデカリン中で１３５℃において測定して約１〜約５００ｍＬ／ｇの固有粘度を有する第二シクロオレフィン共重合体、
（ｃ）上記樹脂の総重量に基づいて約０．０５〜約１．５重量パーセントの、多価アルコールの少なくとも１種の脂肪酸エステル、および
（ｄ）随意に、上記樹脂の総重量に基づいて約１重量パーセントまでの酸化防止剤
より本質的に成る、ステアリン酸亜鉛を実質的に含んでいない上記のシクロオレフィン樹脂。
【手続補正４】
【補正対象書類名】特許請求の範囲
【補正対象項目名】請求項１５
【補正方法】変更
【補正の内容】
【請求項１５】
脂肪酸の金属塩を実質的に含んでいない、請求項９に記載の樹脂。
【手続補正書】
【提出日】平成16年6月8日(2004.6.8)
【手続補正１】
【補正対象書類名】明細書
【補正対象項目名】０２５３
【補正方法】変更
【補正の内容】
【０２５３】
【化１３５】
2005511656.tif 000001
2005511656.tif 000002
（実施例２３５）
（工程１）
ベンゼン（７００ｍＬ）中のトリフェニルホスフィン（２９．４ｇ、１１２．２ｍｍｏｌ、ベンゼンから再結晶）の溶液を、０℃で１５分間、ベンゼン（１００ｍＬ）中の臭素（５．８ｍＬ、１１２．２ｍｍｏｌ）の溶液で処理した。トリエチルアミン（１５．６ｍＬ）を、ゆっくりと添加し、続いて、１，３−シクロペンタンジオン（１０ｇ、１０２ｍｍｏｌ）を添加し、そしてこの反応混合物を周囲温度まで加温した。４時間後、この反応物を、シリカゲルを通して濾過し、Ｅｔ２Ｏでリンスし、そして約１５０ｍＬの容量になるまで濃縮した。残渣を、Ｅｔ２Ｏで希釈し、シリカゲルを通して濾過し、そして濃縮した。この粗生成物（２１ｇ）を、ＭｅＯＨ（２００ｍＬ）で希釈し、０℃まで冷却し、ＣｅＣｌ３・７Ｈ２Ｏ（５６．６ｇ、１５２ｍｍｏｌ）で処理し、続いて、ＮａＢＨ４（５．７５ｇ、１５２ｍｍｏｌ）を１０分間かけて少しずつ添加した。１２時間後、この反応を、飽和ＮＨ４Ｃｌ水溶液でクエンチし、減圧下で濃縮した。この濃縮物を、飽和ＮａＨＣＯ３水溶液で希釈し、ＣＨ２Ｃｌ２（３×）で抽出した。合わせた有機抽出物を乾燥し、そして減圧下で濃縮した。フラッシュクロマトグラフィー（１０％  Ｅｔ２Ｏ／ヘキサン）によって、１（１１．８ｇ、２工程にわたって７０％）を透明な油状物として得た。
【手続補正書】
【提出日】平成16年5月25日(2004.5.25)
【手続補正１】
【補正対象書類名】特許請求の範囲
【補正対象項目名】全文
【補正方法】変更
【補正の内容】
【特許請求の範囲】
【請求項１】
構造式Ａ：
【化１】
2005511699.tif 000001
を有する化合物または該化合物の薬学的に受容可能な塩もしくは溶媒和物であって、ここで：
Ｒは、Ｒ１−フラニル−、Ｒ１−チエニル−、Ｒ１−ピリジル−、Ｒ１−オキサゾリル−、Ｒ１−ピロリル−およびＲ２−アリール−からなる群から選択され；
Ｘは、−（ＣＨ２）ｎ−であり；
Ｙは、ピペリジニル基、ピロリジニル基またはアゼパニル基であって、該基は、Ｙ上の２つの隣接する炭素原子に縮合されたアリール部分またはヘテロアリール部分を有しており、ここで、Ｘは、該ピペリジニル基、ピロリジニル基またはアゼパニル基のＮ原子に結合しており；
Ｑは、１〜４個の置換基であって、該置換基は、同じであるかまたは異なり得、そして水素、シクロアルキル、シクロヘテロアルキル、アミノ、アリール、アラルキル、ヘテロアリール、アルキル、ＣＦ３、ＣＮ、ハロゲン、ＮＯ２、アルコキシ、アルコキシアルコキシ、シクロアルキルアルコキシ、アシルオキシ、アルキルアミノ、アシルアミノ、アルキルスルホンアミノ、アルキルアミノスルホニル、ジアルキルアミノスルホニル、ＮＨ２ＳＯ２−、およびヒドロキシからなる群から独立して選択され；
ｎは、１〜４であり；
Ｒ１は、１〜３個の置換基であって、該置換基は、同じであるかまたは異なり得、そして水素、アルキル、ＣＦ３、ハロゲンおよびＮＯ２からなる群から独立して選択され；そして
Ｒ２は、１〜３個の置換基であって、該置換基は、同じであるかまたは異なり得、そして水素、アルキル、ＣＦ３、ハロゲン、ＮＯ２、アルコキシ、アシルオキシ、アルキルアミノ、アシルアミノ、アルキルスルホンアミド、アルキルアミノスルホニル、ジアルキルアミノスルホニル、アミノスルホニル、およびヒドロキシルからなる群から独立して選択される、
化合物。
【請求項２】
以下からなる群から選択される、請求項１に記載の化合物：
【化３】
2005511699.tif 000002
2005511699.tif 000003
2005511699.tif 000004
2005511699.tif 000005
2005511699.tif 000006
2005511699.tif 000007
2005511699.tif 000008
。
【請求項３】
１種以上の請求項１に記載の化合物を含む、薬学的組成物。
【請求項４】
中枢神経系疾患または脳卒中を治療する方法であって、該方法は、１種以上の請求項１に記載の化合物を、このような処置が必要な患者に投与する工程を包含する、方法。
【手続補正書】
【提出日】平成16年6月29日(2004.6.29)
【手続補正１】
【補正対象書類名】特許請求の範囲
【補正対象項目名】全文
【補正方法】変更
【補正の内容】
【特許請求の範囲】
【請求項１】
分解能が２ｃｍ−１であるＦＴ−ＩＲ分光計により、鉱物油のペーストにしたものを用いて得た赤外線（ＩＲ）吸収スペクトルが、図１と実質的に同一であることにより特徴付けられる無水結晶塩酸バラシクロビル。
【請求項２】
分解能が２ｃｍ−１であるＦＴ−ＩＲ分光計により鉱物油のペーストにしたものを用いて得たＩＲ吸収スペクトルが、３２８６±１、３１９７±１、１７５０±１、１６８６±１、１６３２±１、１６０７±１、１１５２±１、７０１±１および６８８±１ｃｍ−１からなる群から選択される５つ以上の位置にピークを有する無水結晶塩酸バラシクロビル。
【請求項３】
銅ＫαＸ線を用いた回折ビームグラファイトモノクロメータを備えた回折計により得た、２θ角により表されているＸ線粉末回析（ＸＲＤ）パターンが、図２と実質的に同一であることにより特徴付けられる無水結晶塩酸バラシクロビル。
【請求項４】
銅ＫαＸ線を用いた回折ビームグラファイトモノクロメータを備えた回折計により得た、２θ角により表されるＸＲＤパターンが、６．７±０．１、８．１±０．１、９．３±０．１、１１．４±０．１、１３．９±０．１、１５．７±０．１、１６．３±０．１および１７．１±０．１度からなる群から選択される４つ以上の位置に２θ角を有することにより特徴付けられる無水結晶塩酸バラシクロビル。
【請求項５】
請求項１〜４のいずれかに記載の無水結晶塩酸バラシクロビルを含有する医薬組成物。
【請求項６】
ヘルペスウイルス感染の治療または予防のための医薬の製造における、請求項１〜４のいずれかに記載の無水結晶塩酸バラシクロビルの使用。
【手続補正書】
【提出日】平成16年7月16日(2004.7.16)
【手続補正１】
【補正対象書類名】特許請求の範囲
【補正対象項目名】全文
【補正方法】変更
【補正の内容】
【特許請求の範囲】
【請求項１】
噴霧乾燥粒子を含有してなる医薬組成物であって、該粒子が持続作用ナノ粒子を含有し、該ナノ粒子が生物活性剤を含有し、約１ミクロン以下の幾何直径を有する、医薬組成物。
【請求項２】
前記ナノ粒子が約25nm〜約１ミクロン以下の幾何直径を有する請求項１記載の医薬組成物。 
【請求項３】
前記噴霧乾燥粒子が100重量％のナノ粒子を含有してなる請求項１または２記載の医薬組成物。 
【請求項４】
前記噴霧乾燥粒子が少なくとも50重量％のナノ粒子を含有してなる請求項１または２記載の医薬組成物。 
【請求項５】
添加剤をさらに含有してなる請求項１〜４いずれか記載の医薬組成物。 
【請求項６】
前記添加剤が、リン脂質、ポリペプチド、多糖、ポリ無水物、アミノ酸、ポリマー、タンパク質、界面活性剤、コレステロール、脂肪酸、脂肪酸エステル、糖およびそれらの組み合わせからなる群より選ばれる請求項５記載の医薬組成物。 
【請求項７】
前記添加剤が生物活性剤である請求項５記載の医薬組成物。 
【請求項８】
前記生物活性剤が、インスリン、エストラジオール、リファンピン、エタンブトール、ピラジンアミドおよびアルブテロールからなる群より選ばれる請求項１〜７いずれか記載の医薬組成物。 
【請求項９】
前記ナノ粒子が生分解性である請求項１〜８いずれか記載の医薬組成物。
【請求項１０】
前記ナノ粒子がポリマーである請求項１〜９いずれか記載の医薬組成物。 
【請求項１１】
前記生物活性剤が前記ポリマーナノ粒子に組み込まれている請求項１０記載の医薬組成物。
【請求項１２】
前記組成物が呼吸に適する請求項１〜１１いずれか記載の医薬組成物。 
【請求項１３】
リン脂質含有生分解性粒子を含有してなる請求項１記載の医薬組成物であって、該粒子が約４ミクロン〜約８ミクロンの幾何直径および約１ミクロン〜約３ミクロンの空気力学的直径を有し、該粒子が約５重量％〜約80重量％のナノ粒子を含有し、該ナノ粒子が約25nm〜約１ミクロンの幾何直径を有し、該ナノ粒子がカルボン酸修飾ポリスチレンビーズである、医薬組成物。 
【請求項１４】
持続作用ナノ粒子を含有してなる請求項１〜１３いずれか記載の噴霧乾燥粒子の作製方法であって、該ナノ粒子が生物活性剤を含有し、約１ミクロン以下の幾何直径を有し、該方法が該ナノ粒子、またはナノ粒子を形成可能である試薬を含有する溶液を噴霧乾燥粒子を形成する条件下で噴霧乾燥させる工程を含む、方法。
【手続補正書】
【提出日】平成16年5月7日(2004.5.7)
【手続補正１】
【補正対象書類名】特許請求の範囲
【補正対象項目名】全文
【補正方法】変更
【補正の内容】
【特許請求の範囲】
【請求項１】
式Ｉ
【化１】
2005511602.tif 000001
［式中、
R1はHまたは低級アルキルを表し、
R2はHまたは低級アルキルを表し、
R3はペルフルオロ低級アルキルを表し、
XはOまたはSである］
のアントラニル酸アミド、
またはそのＮ−オキシドもしくは互変異性体、
またはかかるアントラニル酸アミド、そのＮ−オキシドもしくはその互変異性体の塩。
【請求項２】
R1がHまたは低級アルキルを表し、
R2がHまたは低級アルキルを表し、
R3がトリフルオロメチルを表し、
XがOである、
請求項１に記載の式Ｉのアントラニル酸アミド、
またはそのＮ−オキシドもしくは互変異性体、
またはかかるアントラニル酸アミド、そのＮ−オキシドもしくはその互変異性体の塩。
【請求項３】
R1がHまたはメチルを表し、
R2がHまたはメチルを表し、
R3がトリフルオロメチルを表し、
XがOである、
請求項１に記載の式Ｉのアントラニル酸アミド、
またはその互変異性体、
またはかかるアントラニル酸アミドもしくはその互変異性体の塩。
【請求項４】
2-[[6-メトキシ-3-ピリジル]メチル]アミノ-N-[3-(トリフルオロメチル)フェニル]ベンズアミド塩酸塩、
2-[[6-メトキシ-3-ピリジル]メチル]アミノ-N-[2-メチル-3-(トリフルオロメチル)フェニル]ベンズアミド、
2-[[(1,6-ジヒドロ-6-オキソ-3-ピリジル)メチル]アミノ]-N-[3-(トリフルオロメチル)フェニル]ベンズアミド、および
2-[[(1,6-ジヒドロ-6-オキソ-3-ピリジル)メチル]アミノ]-N-[2-メチル-3-(トリフルオロメチル)フェニル]ベンズアミド
から選択される、請求項１に記載の式Ｉのアントラニル酸アミド、
またはそのＮ−オキシドもしくは互変異性体、
またはかかるアントラニル酸アミド、そのＮ−オキシドもしくはその互変異性体の塩。
【請求項５】
ヒトまたは動物の身体の処置方法において使用するための、請求項１〜４のいずれか一項に記載の式Ｉのアントラニル酸アミド、またはその互変異性体、またはかかる化合物の医薬上許容される塩。
【請求項６】
請求項１〜４のいずれか一項に記載の式Ｉのアントラニル酸アミド、またはそのＮ−オキシドもしくは互変異性体、またはかかる化合物の医薬上許容される塩、またはその水和物もしくは溶媒和物と少なくとも１種の医薬上許容される担体を含む、医薬製剤。
【請求項７】
式Ｉ
【化２】
2005511602.tif 000002
(式中、R1は低級アルキルを表し、残りの記号R2およびR3は請求項１で定義された通りである)
のアントラニル酸アミドの製造方法であって、式ＩＩ
【化３】
2005511602.tif 000003
(式中、R2およびR3は式Ｉの化合物に関して定義された通りである)
の化合物を式ＩＩＩ
【化４】
2005511602.tif 000004
(式中、XはOまたはSを表し、R1は低級アルキルである)
のカルボニル化合物と、還元剤の存在下で反応させ、
式ＩＩおよびＩＩＩの出発化合物はまた必要であれば保護された形態の官能基を伴い、かつ／または塩形成基が存在し、塩の形態での反応が可能である場合には塩の形態で提供されてもよく、
式Ｉの化合物の保護誘導体中の保護基をいずれも除去し、
所望により得られる式Ｉの化合物を式Ｉの別の化合物またはそのＮ−オキシドへと変換し、式Ｉの遊離化合物を塩へと変換し、得られる式Ｉの化合物の塩を遊離化合物または別の塩へと変換し、かつ／または式Ｉの異性体化合物の混合物を個々の異性体へと分離する、方法。
【手続補正書】
【提出日】平成16年6月10日(2004.6.10)
【手続補正１】
【補正対象書類名】特許請求の範囲
【補正対象項目名】全文
【補正方法】変更
【補正の内容】
【特許請求の範囲】
【請求項１】
完全長ＧＺＩＰポリペプチドの単離されたポリペプチド断片であって、前記ポリペプチド断片の配列が、配列番号：２の１０１〜２７２、１２１〜２９８、５９〜２４２、２２１〜２９８、１４５〜２９８、２２１〜２４２、２１〜２９８、２１〜２０２、２１〜２０８、２０３〜２９８、２０９〜２９８、２１〜２４６、２１〜２５０位の連続するアミノ酸、または配列番号：３の９８〜２６９、１１８〜２９５、５６〜２３９、２１８〜２９５、１４２〜２９５、２１８〜２３９、１８〜２９５、１８〜１９９、１８〜２０５、２００〜２９５、２０６〜２９５、１８〜２４３、１８〜２４７位の連続するアミノ酸から本質的になる断片。
【請求項２】
担体と、配列番号：２の１０１〜２７２、１２１〜２９８、５９〜２４２、２２１〜２９８、１４５〜２９８、２２１〜２４２、２１〜２９８、２１〜２０２、２１〜２０８、２０３〜２９８、２０９〜２９８、２１〜２４６、２１〜２５０位の連続するアミノ酸、または配列番号：１の９８〜２６９、１１８〜２９５、５６〜２３９、２１８〜２９５、１４２〜２９５、２１８〜２３９、１８〜２９５、１８〜１９９、１８〜２０５、２００〜２９５、２０６〜２９５、１８〜２４３、もしくは１８〜２４７位の連続するアミノ酸から本質的になるポリペプチド断片配列とからなる組成物。
【請求項３】
配列番号：２の１０１〜２７２、１２１〜２９８、５９〜２４２、２２１〜２９８、１４５〜２９８、２２１〜２４２、２１〜２９８、２１〜２０２、２１〜２０８、２０３〜２９８、２０９〜２９８、２１〜２４６、２１〜２５０位の連続するアミノ酸、または配列番号：３の９８〜２６９、１１８〜２９５、５６〜２３９、２１８〜２９５、１４２〜２９５、２１８〜２３９、１８〜２９５、１８〜１９９、１８〜２０５、２００〜２９５、２０６〜２９５、１８〜２４３、１８〜２４７位の連続するアミノ酸をコードする単離ポリヌクレオチドまたはその補体。
【請求項４】
担体と、請求項３に記載の単離ポリヌクレオチドとからなる組成物。
【請求項５】
配列番号：２の１０１〜２７２、１２１〜２９８、５９〜２４２、２２１〜２９８、１４５〜２９８、２２１〜２４２、２１〜２９８、２１〜２０２、２１〜２０８、２０３〜２９８、２０９〜２９８、２１〜２４６、２１〜２５０位の連続するアミノ酸、または配列番号：３の９８〜２６９、１１８〜２９５、５６〜２３９、２１８〜２９５、１４２〜２９５、２１８〜２３９、１８〜２９５、１８〜１９９、１８〜２０５、２００〜２９５、２０６〜２９５、１８〜２４３、１８〜２４７位の連続するアミノ酸をコードする単離ポリヌクレオチド配列からなるベクター。
【請求項６】
担体と、請求項５に記載のベクターとを含む組成物。
【請求項７】
請求項５に記載のベクターからなる形質転換宿主細胞。
【請求項８】
ＡＰＭ１ポリペプチドのＧＺＩＰポリペプチドへの結合をブロックするアンタゴニストをスクリーニングする方法であって、
試験化合物の存在下又は非存在下で、ＡＰＭ１ポリペプチドをＧＺＩＰポリペプチドと接触させ、試験化合物の存在下又は非存在下でＧＺＩＰポリペプチドのＡＰＭ１ポリペプチドへの結合を検出することからなる方法。
【請求項９】
ＧＺＩＰポリペプチドのアンタゴニストをスクリーニングする方法であって、
ＧＺＩＰポリペプチドを試験化合物と接触させ、前記試験化合物の存在下又は非存在下でＧＺＩＰポリペプチドの脂質分配、脂質代謝およびインスリン様活性を検出し、前記試験化合物は、該化合物を用いていない結果と対立する場合にＧＺＩＰのアンタゴニストとして同定される方法。
【請求項１０】
体重を減少させる方法であって、請求項２、４又は６に記載の組成物を、体重減少を必要とする個体に投与して体重を減少させる方法。
【請求項１１】
体重を増加させる方法であって、ＧＺＩＰポリペプチドのアンタゴニストを体重増加を必要とする個体に投与して体重を増加させる方法。
【請求項１２】
個体において循環遊離脂肪酸レベルを下げる方法であって、請求項２、４又は６に記載の組成物からなる組成物を前記個体に投与することからなる方法。
【手続補正書】
【提出日】平成16年9月7日(2004.9.7)
【手続補正１】
【補正対象書類名】特許請求の範囲
【補正対象項目名】全文
【補正方法】変更
【補正の内容】
【特許請求の範囲】
【請求項１】
少なくとも5%の細胞が内因性遺伝子からII型コラーゲンまたはアグリカンを合成する、単離された霊長動物多能性幹（pPS）細胞を分化させることによって得られる細胞集団。  
【請求項２】
請求項1記載の分化細胞集団、および得られる元となった未分化pPS細胞を含む、膵臓ホルモン分泌細胞を産生する系。
【請求項３】
エラスチン、I型コラーゲン、X型コラーゲン、またはオステオカルシンを合成する細胞が1%未満である、前記請求項のいずれか一項記載の分化細胞集団。
【請求項４】
Koppelら、Biomaterials 22:1407、2001に記載される動物モデルにおいて2ヶ月以内に6 mm穴を閉鎖する、請求項1〜3のいずれか一項記載の分化細胞集団。
【請求項５】
アグリカンとしてpPS細胞を分化させ、分化細胞を軟骨細胞分化因子の混合物と共に培養する段階を含む、前記請求項のいずれか一項記載の分化細胞集団を取得する方法。
【請求項６】
軟骨細胞分化因子の混合物が、トランスフォーミング増殖因子（TGF）、線維芽細胞増殖因子（FGF）、増殖分化因子（GDF）、骨形成タンパク質（BMP）、ヘッジホッグタンパク質（HH）、L-アスコルビン酸、および副甲状腺ホルモン関連タンパク質（PTHrP）から選択される1つまたは複数の因子を含む、請求項9記載の方法。
【請求項７】
細胞集団がII型コラーゲンまたはアグリカンを合成する条件下で、請求項1〜4のいずれか一項記載の分化細胞集団をインキュベートする段階を含む、軟骨を産生する方法。
【請求項８】
インビボで再吸収される基質と組み合わせて、生理的適合性賦形剤中の請求項1〜4のいずれか一項記載の分化細胞集団を含む、インビボで産生、修復、または維持するための薬学的組成物。
【請求項９】
関節の外傷、関節炎、もしくは変形性関節症を治療する、または美容整形に使用する医薬品の調製における、請求項1〜4のいずれか一項記載の分化細胞集団の使用。
【請求項１０】
pPS細胞がヒト胚幹細胞、またはヒト胚盤胞から得られる細胞の子孫である、前記請求項のいずれか一項記載の産物、方法、または使用。
【手続補正書】
【提出日】平成16年9月7日(2004.9.7)
【手続補正１】
【補正対象書類名】特許請求の範囲
【補正対象項目名】全文
【補正方法】変更
【補正の内容】
【特許請求の範囲】
【請求項１】
以下の特性の1つまたは複数を有する、培養において増殖する分化細胞集団：
・細胞の少なくとも1％がCD45 +veである特性
・少なくとも20％がCD34 +veである特性
・少なくとも70％がCD13 +veである特性
・少なくとも10％がAC133 +veである特性。
【請求項２】
霊長類多能性幹（pPS）細胞を分化させることによって得られる、請求項1記載の分化細胞集団。
【請求項３】
請求項2の分化細胞集団、および、分化したもととなる未分化pPS細胞系からなる、2つの細胞集団。
【請求項４】
分化細胞の少なくとも5％がCD34 +veおよびCD45 +veの両方であるような、請求項1〜3のいずれか一項記載の細胞集団。
【請求項５】
分化細胞集団が以下の特性の1つまたは複数を有する、請求項1〜4のいずれか一項記載の細胞集団：
・1％未満の未分化pPS細胞を含む特性
・造血コロニー形成単位（CFU）についてのアッセイ法において、少なくとも約1,000分の1の平板効率でコロニーを形成する特性
・二次CFUアッセイ法において再プレーティングされた場合に二次コロニーを形成するCFU細胞を産生する特性
・NOD-SCIDマウスに注射された場合に循環赤血球系細胞、顆粒球細胞および単球を形成する特性
・NOD-SCIDマウスに注射された場合に循環リンパ球系細胞を形成する特性。
【請求項６】
異なる遺伝子型を有するいかなる細胞をも本質的に含まないが、造血細胞増殖因子の混合物を含むような培養環境において未分化pPS細胞を培養する段階、およびその後、少なくとも1％がCD45陽性であるような、または、造血コロニー形成単位（CFU）についてのアッセイ法において少なくとも約2,400分の1の平板効率でコロニーを形成するような細胞集団を培養環境から採取する段階を含む、pPS細胞を、造血能を有する細胞集団に分化させるための方法。
【請求項７】
造血細胞増殖因子の混合物が以下の少なくとも2つを含むような、請求項6記載の方法：幹細胞成長因子（SCF）、FLT-3リガンド、IL-3、IL-6、および顆粒球コロニー刺激因子（G-CSF）。
【請求項８】
造血細胞増殖因子の混合物との培養と同時にまたは培養後に、BMP-4のような骨形成タンパク質と共に分化細胞を培養する段階を含む、請求項6または7記載の方法。
【請求項９】
請求項1〜5のいずれかに記載の分化細胞集団をさらに分化させることによって生産される、赤血球、赤芽球、好中球、好酸球、好塩基球、単球、マクロファージ、巨核球、血小板、またはリンパ球。
【請求項１０】
ヒトにおける造血機能を再形成するための薬剤の調製における、請求項1〜5のいずれかにおいて説明される分化細胞集団、または、請求項6〜8のいずれか一項記載の方法に従って得られる分化細胞集団の使用。
【請求項１１】
薬剤中の細胞とMHC適合性である細胞に対してヒトを寛容化するための薬剤の調製における、請求項1〜5のいずれかにおいて説明される分化細胞集団、または、不活性化未分化pPS細胞集団の使用。
【請求項１２】
ヒトへの投与に適するように製剤化された、請求項1〜5のいずれか一項記載の分化細胞集団または不活性化未分化pPS細胞を含む第一の細胞集団；および、第一の細胞集団とMHC適合性である、分化細胞を含む第二の細胞集団を共にまたは別々の容器に含む、薬学的組み合わせ。
【請求項１３】
組み合わせの個体への投与の際に、第一の細胞集団によって、第二の細胞集団に対する被験者による炎症反応が阻害されるような、または、第二の細胞集団に対して個体が免疫寛容性に変えられるような、請求項12記載の薬学的組み合わせ。
【請求項１４】
未分化pPS細胞が、照射またはマイトマイシンCを用いた処理によって不活性化されたヒト胚性幹細胞であるような、請求項12または13記載の薬学的組み合わせ。
【請求項１５】
pPS細胞がヒト胚性幹細胞であるような、または、pPS細胞がヒトの胚盤胞から得られた細胞の子孫細胞であるような、請求項1〜11のいずれか一項記載の産物、方法、または使用。
【請求項１６】
第一の細胞集団および第二の細胞集団が同じ系のヒト胚性幹細胞に由来するような、請求項12〜14のいずれか一項記載の薬学的組み合わせ。
【手続補正書】
【提出日】平成16年6月4日(2004.6.4)
【手続補正１】
【補正対象書類名】特許請求の範囲
【補正対象項目名】全文
【補正方法】変更
【補正の内容】
【特許請求の範囲】
【請求項１】
薬物送達システムであって、
経皮薬物送達装置と、
パッチに固定された温度制御装置と、を含み、前記温度制御装置が、加熱の規模および持続時間を制御し、かつ選択的に加減し、皮膚を通じて鎮痛剤の選択的な正確な要望に応じた送達を達成し、ここで前記温度制御装置は、前記パッチおよびパッチに隣接した皮膚を所定の持続時間、所定の温度範囲に加熱するように設計されている、システム。
【請求項２】
前記温度制御装置が、迅速に経皮パッチを加熱し、迅速な薬物送達を提供してブレイクスルー痛を解消する、請求項１に記載のシステム。
【請求項３】
前記温度制御装置が、
非空気透過性材料によって規定された浅いチャンバーであって、該チャンバーが、非空気透過性材料を通じて所定の数とサイズの孔を有する少なくとも１つの側面を有し、所定の速度で前記チャンバーへの空気流を可能にするチャンバーと、
前記チャンバー内に配置され、所定の持続時間の熱を提供する所定量の熱発生媒体と、
を含む、請求項１に記載のシステム。
【請求項４】
前記浅いチャンバーが、前記チャンバーの少なくとも１つの側面に配置された接着剤を含む、請求項３に記載のシステム。
【請求項５】
前記温度制御装置が、前記浅いチャンバーを皮膚薬物送達システムへ付着させる手段をさらに含み、皮膚薬物送達システムへ付着させる前記手段が、前記皮膚薬物送達システムと前記ヒト皮膚との間の接着よりも皮膚薬物送達システムへの付着力が少ない特性を有する接着剤である、請求項３に記載のシステム。
【請求項６】
前記熱発生媒体が、所定比の活性炭と鉄とを含む、請求項３に記載のシステム。
【請求項７】
前記熱発生媒体が、塩化ナトリウムとおがくずとをさらに含む、請求項３に記載のシステム。
【請求項８】
前記温度制御装置が、電気が供給されると熱を発生する能力がある抵抗層を含む実質的に二次元の装置と、前記実質的に二次元の装置をヒト皮膚へ付着させる手段と、電流を前記抵抗層へ供給する手段とをさらに含む、請求項１に記載のシステム。
【請求項９】
電流を前記抵抗層へ供給する前記手段が、前記抵抗層へ供給される電流の量を調節する手段を含む、請求項８に記載のシステム。
【請求項１０】
前記抵抗層へ供給される電流の量を調節する前記手段がサーミスタを含む、請求項９に記載のシステム。
【請求項１１】
前記所定の温度範囲が３８℃〜４５℃である、請求項１に記載のシステム。
【請求項１２】
前記所定の温度範囲が３９℃〜４４℃である、請求項１に記載のシステム。
【請求項１３】
前記非空気透過性材料が所定の空気透過係数を有する、請求項３に記載のシステム。
【手続補正書】
【提出日】平成16年8月4日(2004.8.4)
【手続補正１】
【補正対象書類名】特許請求の範囲
【補正対象項目名】全文
【補正方法】変更
【補正の内容】
【特許請求の範囲】
【請求項１】
プロテーゼを体内管腔に送るための器具であって、
通路を有するカテーテルと、
通路の中に少なくとも部分的に半径方向に潰れた形状で保持されている筒形プロテーゼと、
前記プロテーゼを前進させることによってプロテーゼを外転させて半径方向に拡張させるように、プロテーゼを通路から前進させるための手段と
を含む器具。
【請求項２】
筒形プロテーゼが網目状の管を含む請求項１に記載の器具。
【請求項３】
網目状の管が少なくとも部分的に、ステンレス鋼、形状記憶合金、重合体樹脂からなる群から選択された材料から構成されている請求項２に記載の器具。
【請求項４】
プロテーゼが活性物質源を支えている請求項１から３までのいずれかに記載の器具。
【請求項５】
プロテーゼが少なくとも部分的に活性物質によって被覆されている請求項４に記載の器具。
【請求項６】
プロテーゼが活性物質を支える少なくとも１つのリザーバを有する請求項４に記載の器具。
【請求項７】
プロテーゼが重合体層を含み、前記重合体層に活性物質が装荷されている請求項４に記載の器具。
【請求項８】
プロテーゼの固定端部がカテーテルの外側表面上に外転させられており、前進可能な端部が通路内に残っており、さらに、プロテーゼの中間部を遠位方向に押しプロテーゼの先縁部を外転させて固定端部に対して前進させるためのプッシャをさらに含む請求項１から３までのいずれかに記載の器具。
【請求項９】
プロテーゼの潰れた部分の内部に配置された中央管をさらに含む請求項８に記載の器具。
【請求項１０】
中央管がプロテーゼを外転させるためにプッシャと共に前進可能である請求項９に記載の器具。
【請求項１１】
プロテーゼを拡張させるためにカテーテルの外側表面と結合された膨張可能なバルーンをさらに含む請求項８に記載の器具。
【請求項１２】
プロテーゼの一部分を切断してこの部分を体内管腔の中に残すことができるようにするための切断手段をさらに含む請求項８に記載の器具。
【手続補正書】
【提出日】平成16年8月23日(2004.8.23)
【手続補正１】
【補正対象書類名】明細書
【補正対象項目名】００３４
【補正方法】変更
【補正の内容】
【００３４】
本発明は血圧調整方法および装置の双方に係る。電気的信号によって血圧を調整する装置の１実施例を図１に示す。この装置１０は少なくとも１つの治療部材（トリートメント  デバイス）１２と、制御モジュール１４とを備える。本発明の装置については米国特許出願第０９／９９５，１９４（２００１年１１月２７日出願；発明の名称「電気的神経受容波形による喘息および呼吸器疾患の治療方法（Treatment of Asthma and Respiratory Disease by Means of Electrical Neuro-Receptive Waveforms）」に詳述されており、この米国特許出願の開示内容は本発明にリファレンスとして含まれる。
【手続補正２】
【補正対象書類名】明細書
【補正対象項目名】００３７
【補正方法】変更
【補正の内容】
【００３７】
上記波形信号とそれらの生成とについては米国特許出願第１０／０００，００５（２００１年１１月２０日出願；発明の名称「身体器官の働きを調整する特定脳波を記録、格納かつ送信する装置及び方法（Device and Method to Record, Store and Broadcast Specific Brain Waveforms to Modulate Body Organ Functioning）」に詳述されており、この米国特許出願の開示内容は本発明にリファレンスとして含まれる。上記米国特許出願には、人間および動物の血圧をコントロールする場合にも使用できる波形の代表的なものを開示している。上記の仮米国特許出願に開示する上記波形およびそれら波形の部分を組み合わせたものは脳の髄橋部位から出ている神経回路で作用する種類の信号を示している。かかる波形は血圧コントロールまたは微調整の役割を果たす求心または遠心神経をどちらか調整するのに使用できる。上記波形信号は、上記の米国特許出願に詳述する、血圧調整のために脳幹組織が自然発生させるものと類似している。
【手続補正書】
【提出日】平成16年10月4日(2004.10.4)
【手続補正１】
【補正対象書類名】明細書
【補正対象項目名】００３１
【補正方法】変更
【補正の内容】
【００３１】
例示された金型４（図１８から２４Ａ）は、上部金型半体７１に取り付けられ且つこれとともに往復する上部アンカープレート７８を含む。アンカープレート７８は、その対向する隅に隣接する１セットの垂直ガイドピン７９を支持する。下部転写シートキャリア８０は、１セットの締結ロッド８１によってガイドピン７９から可動式に支持され、これは、噛み合いガイドピン７９に入れ子式に受け取られる。下部転写シートキャリア８０は、関連下部転写シート２のフレーム２０を着脱自在に受け取り保持するためのマウント８２を含む。上部転写シートキャリア８３は、締結ロッド８１に摺動可能に受け取られ、ガイドピン７９の下部端に取り付けられたコイルばね８４によって作用的に支持される。上部転写シートキャリア８３は、下部転写シートキャリア８０に類似しており、関連上部転写シート３のフレーム２０を中に着脱自在に受け取り保持するためのマウント８５を含む。金型４は、対向する隅から間隔をおいて離れて、下部金型半体７０に作用的に接続された４つの垂直に調整可能なストップまたはポジショナー８６も含み、これは、下部転写シートキャリア８０を下部金型半体７０に対して正確に位置決めするように作用する。例示されたポジショナー８６は、剛性ピン８８の上部端にねじ込み式に装着されたボルトの性質を帯びる。係止ナット８７は、ポジショナー８６のねじ山を切った端に装着され、これを予め選択された垂直位置に保持する。
【手続補正２】
【補正対象書類名】明細書
【補正対象項目名】００３６
【補正方法】変更
【補正の内容】
【００３６】
上部金型半体７１の連続した下降が、図２２に示されるように、上部フレーム装着転写シート３を、ボウリングボール１の上部半球に接触させ、その上に均一に伸びさせる。次いで、上部フレームキャリア８３は下部フレームキャリア８０に当接し、転写シート２および３の外縁を未装飾ボウリングボール１１のまわりに一緒に引く。上部金型半体７１のさらなる下方運動が、未装飾ボウリングボール１１を下方に下部金型半体７０内に押し、金型４をその完全閉位置へ移し、ボールが金型キャビティ５内で均一に加熱されるように、転写シート２および３、および、未装飾ボウリングボール１１の対向する半体を、上部および下部の金型キャビティ７３および７４に同時に正確に位置決めする。この均一に加熱されることによって、ボールの滑らかな外側表面４０に亀裂且つ／または損傷が生じることを防止する。ポジショナー８６は、ボールの上部半体および関連転写シート３が加熱される前に、ボウリングボール１１の下部半体および関連転写シート２が加熱されるのを防止する。
【手続補正書】
【提出日】平成16年7月21日(2004.7.21)
【手続補正１】
【補正対象書類名】特許請求の範囲
【補正対象項目名】全文
【補正方法】変更
【補正の内容】
【特許請求の範囲】
【請求項１】
体に面する側を有する吸収性物品であって、
・前記体に面する側とは反対側に裏地シート、
・前記裏地シートと前記体に面する側との間に吸収性芯、及び
・前記吸収性芯と前記体に面する側との間に複合体表面シート、
を具え、
・前記複合体表面シートが、
・・形成フィルムと前記吸収性物品の体に面する側との間に第一繊維不織布、
・・前記吸収性芯と前記不織布との間に、弾力性の三次元的な孔の開けられた形成フィルム及び第二繊維不織布の一方を含む支持層であって、前記形成フィルムが、突出部を有する雄型側、前記雄型側とは反対側の陸状部を有する雌型側、及び小さな孔を有し、前記第二繊維不織布が、前記第一不織布の繊維の平均半径よりも大きな平均半径の繊維を有する、前記支持層、
・・前記第一不織層中に、前記形成フィルムを通って伸びる、複数の三次元的な円錐状の孔であって、前記小さな孔のメッシュ数よりも少ないメッシュ数を有する、前記円錐状孔、
を有する、吸収性物品。
【請求項２】
支持層が、弾力性の三次元的な孔の開けられた形成フィルムであり、前記形成フィルムの雄型側が不織布に面している、請求項１に記載の吸収性物品。
【請求項３】
支持層が、弾力性の三次元的な孔の開けられた形成フィルムであり、前記形成フィルムの雌型側が不織布に面している、請求項１に記載の吸収性物品。
【請求項４】
第一不織布中の三次元的円錐状孔に大きな開口から小さな開口へテーパーが付いており、前記大きな開口が前記小さな開口と体に面した側との間にある、請求項１に記載の吸収性物品。
【請求項５】
第一不織布が、大きな開口近くに概ね固化されていない繊維、及び小さな開口近くに概ね固化された繊維を有する、請求項４に記載の吸収性物品。
【請求項６】
前記第一不織布の繊維が、形成フィルムの溶融部分により小さな開口の所で結合されている、請求項４に記載の吸収性部分。
【請求項７】
支持層が弾力性の三次元的な孔の開けられた形成フィルムであり、単位面積当たりの小さい孔の数が約２０／ｃｍ2〜約２００／ｃｍ2である、請求項１に記載の吸収性物品。
【請求項８】
支持層が弾力性の三次元的な孔の開けられた形成フィルムであり、単位面積当たりの小さい孔の数が約５０／ｃｍ2〜約１００／ｃｍ2である、請求項１に記載の吸収性物品。
【請求項９】
単位面積当たりの第一不織布中の孔の数が約３／ｃｍ2〜約３０／ｃｍ2である、請求項１に記載の吸収性物品。
【請求項１０】
第一不織布中の孔の数が約６／ｃｍ2〜約１１／ｃｍ2である、請求項１に記載の吸収性物品。
【請求項１１】
雄型側と雌型側とを有する弾力性の三次元的な孔の開けられた形成フィルムを形成し、前記形成フィルムは一のメッシュ数を有する小さな孔を持って形成される工程、
繊維不織布を形成する工程、
前記不織布を前記有孔形成フィルムと結合する工程、及び
前記結合した不織布・形成フィルムに孔を開けて、前記結合した不織布・形成フィルムに大きな孔を開け、それら複数の大きな孔は前記小さな孔のメッシュ数よりも少ないメッシュ数で創られる工程
を含む、複合体表面シート材料の製造方法。
【請求項１２】
弾力性の三次元的な孔の開けられた形成フィルムの形成を、フィルムの真空形成により行う、請求項１１に記載の方法。
【請求項１３】
不織布を形成フィルムに結合する工程が、接着剤及び前記不織布の繊維を前記形成フィルムに対して溶融することの一方により、前記不織布を前記形成フィルムへ結合する工程を含む、請求項１１に記載の方法。